(57)【特許請求の範囲】
【請求項１】
ケーシングと、セラミック製の基板２と、回路に応じて基板２上に配設されて構成化されている導電性の接触面３と、接触面３上に配設されている素子８と、可撓性の圧力蓄積体１０並びに圧力を生成する圧力プレート１１から成る圧力接触部と、パワー接続部および制御接続部とを有するパワー半導体モジュールであって、
素子８が、それらの第１主面上に少なくとも部分的に配設されていて導体通路並びに接触面が設けられている可撓性の導体プレート９を用いて接触され、
可撓性の導体プレート９が、第１の接続形態として、素子８を回路に応じて互いに接続し又は素子８を基板２の接触面３と接続し又は素子８を互いに接続するとともに基板２の接触面３と接続し、それにより回路に応じたモジュールの電気接続部を形成するか、
又は、可撓性の導体プレート９が、第２の接続形態として、少なくとも１つの外部の導体プレート５の接触面６に対する回路に応じた接続部を形成するか、
又は、可撓性の導体プレート９が、第１の接続形態と第２の接続形態をともに有している、前記パワー半導体モジュールにおいて、
素子８を互いに絶縁するために軟質の絶縁材２０が、素子８並びに接触面３を備えた基板２と可撓性の導体プレート９との間に取り入れられていて、素子８並びに基板２の接触面３との可撓性の導体プレート９の接触部が、可撓性の導体プレート９上に配設されているイボ状の突起２１により形成されていて、そして圧力接触部を用いた加圧によりイボ状の突起２１が軟質の絶縁材２０を押しのけて確実な電気接触が成されることを特徴とするパワー半導体モジュール。
【請求項２】
少なくとも１つの素子８が、基板２の接触面３と材料接合式で結合されていて、可撓性の導体プレート９の少なくとも１つの接触面と圧力接触部を用いて材料結束式で導電するように結合されていることを特徴とする、請求項１に記載のパワー半導体モジュール。
【請求項３】
少なくとも１つの素子８が、可撓性の導体プレート９の少なくとも１つの接触面と材料接合式で導電するように結合されていて、圧力接触部を用いて基板２の少なくとも１つの接触面３と材料結束式で結合されていることを特徴とする、請求項１に記載のパワー半導体モジュール。
【請求項４】
素子８が、各々につき、パワーダイオード、又はパワーサイリスタ、又はパワートランジスタ、又はセンサ、又は抵抗、又は集積回路であることを特徴とする、請求項１に記載のパワー半導体モジュール。
【請求項５】
材料接合式の接触部がロウ付けにより形成されることを特徴とする、請求項２または３に記載のパワー半導体モジュール。
【請求項６】
材料接合式の接触部が導電性の接着剤を用いた接着結合部により形成されることを特徴とする、請求項２または３に記載のパワー半導体モジュール。
【請求項７】
可撓性の導体プレート９が、少なくとも部分的に、少なくとも１つの外部の導体プレート５の接触面６に対するパワー半導体モジュールのパワー接続部の接触部又は制御接続部の接触部又はパワー接続部と制御接続部の接触部を形成することを特徴とする、請求項１に記載のパワー半導体モジュール。
【請求項８】
パワー接続部の接触部又は制御接続部の接触部又はパワー接続部と制御接続部の接触部が、少なくとも部分的に、ロウ付け又は接着を用いて材料接合式で形成されることを特徴とする、請求項７に記載のパワー半導体モジュール。
【請求項９】
パワー接続部の接触部又は制御接続部の接触部又はパワー接続部と制御接続部の接触部が、少なくとも部分的に、圧力接触部を用いて材料結束式で形成されることを特徴とする、請求項７に記載のパワー半導体モジュール。
【発明の詳細な説明】
【０００１】
【発明の属する技術分野】
本発明は、請求項１の前提部に記載した、能動素子及び／又は受動素子（即ち、能動素子、又は受動素子、又は能動素子及び受動素子）を備えたパワー半導体モジュール、特に電流変換モジュールに関する。この種のパワー半導体モジュールは様々な文献から知られている。製造コストの低減と同時に、性能、信頼性、並びに耐用年数を向上するには個々の構成部品のための構造技術の方式を変更することが必然的な前提条件である。
【０００２】
【従来の技術】
本発明の出発点である最新のパワー半導体モジュールは、例えばドイツ特許出願公開第19903875号明細書(DE19903875A1)に記載されているように、ベースプレートを伴わないモジュールであり、それらは以下の構成要素からできている：
・  ケーシング
・  セラミック基板：このセラミック基板は、この基板上に配設されていて回路に応じて実施されている金属被覆を有し、これらの金属被覆は例えばＤＣＢ（直接銅結合 direct copper bonding）法により製造される。
・  例えば、ダイオード、トランジスタ、抵抗、センサなどのような、前記のセラミック基板上にロウ付け技術を用いて材料接合式で取り付けられている素子
・  素子の構成化側（パターン側）を、他の素子、基板、及び／又は、外部に通じる接続要素と結合するためのボンド結合部
・  個々の素子を互いに絶縁するために有利にはシリコンゴムからできているシーリング材料
【０００３】
この種のパワー半導体モジュールでは、冷却体にモジュールを熱的に接触させるために圧力接触を用いる構造技術が極めて有利であることが明らかになった。特に広面に渡るロウ付け結合を品質に応じて制御することは極めて困難であり、それによりパワー半導体モジュールの信頼性と耐用年数が損なわれてしまうことが示された。
【０００４】
このような圧力接触されるパワー半導体モジュールにおける圧力発生は機械的に安定性のある圧力プレートを用いて達成される。更なる構成に応じ、生成された圧力は、例えばドイツ特許発明第19648562号明細書(DE19648562C1)に示されているように圧力プレートの特別な構成を用いて直接的に基板上に伝えられ得る、又は、ドイツ特許出願公開第19903875号明細書(DE19903875A1)に記載されている弾性の圧力蓄積体を用いて基板上に伝えられ得る。
【０００５】
ドイツ特許出願公開第4132947号明細書(DE4132947A1)から、可撓性の導体プレート、並びに、パワー半導体モジュールに導電性及び／又は絶縁性のペーストを使用することが知られている。これらは、セラミック製の基板の代用として、並びに、素子間を接続するために使用される。
【０００６】
米国特許第4180828号明細書(US4180828)では、可撓性のフォイルを介して基板の導体通路と素子を接続することが記載されている。フォイルと素子の間ないしはフォイルと導体通路の間における電気接触はロウ付け結合または接着結合により確立される。
【０００７】
ドイツ特許発明第19648562号明細書(DE19648562C1)またはドイツ特許出願公開第19903875号明細書(DE19903875A1)に記載されている製造方法には、最新のモジュールでは通常であるように多数の素子が互いに及び／又は基板と接触されなくてはならないという短所がある。これは、ボンド技術的には多数の個々のボンド結合部を用いることにより実現され、この際、通常は素子あたり必ず１０個までのボンド結合部が存在する。これらのボンド結合部は直列に製造されるので、その製造には多大な消費時間が必要とされ、それによりモジュール製造における主要なコスト部分の原因となる。
【０００８】
ドイツ特許出願公開第4132947号明細書(DE4132947A1)による製造方法は、部分的に極めて複雑な層構造、並びに、旧式のロウ付け結合の更なる使用を有している。従って、パワー半導体モジュールの効果的な構造は保証されていない。
【０００９】
米国特許第4180828号明細書(US4180828)では可撓性のフォイルがロウ付け技術または接着技術を用いて素子ないしは基板の導体通路に備え付けられている。この種のロウ付け結合部を実際に製造することは困難であり、その理由は、フォイルを通じる熱入力により、フォイルの損傷及び／又は破壊を回避するための特別の技術が要求されるためである。
【００１０】
【発明が解決しようとする課題】
本発明は、個々の半導体素子間、ないしは、半導体素子と様々な形式の接触面との間、例えば半導体素子と基板の接触面との間におけるボンド結合部及び／又はロウ付け結合部が少なくとも部分的に排除され得るパワー半導体モジュールを提供することを課題とし、このパワー半導体モジュールは、耐用年数と信頼性に関して少なくとも従来技術と同価値の品質を有し、低コストで製造可能である。また、追加的な課題は、個々の素子の相互間の絶縁を簡素化することである。
【００１１】
【課題を解決するための手段】
前記の課題は、請求項１の特徴部に記載した措置により解決される。他の有利な構成は従属項に掲げられている。この際、以下の説明において、導体プレートは、実質的に堅固な構成のものとは限らず、従来技術でも記載されているような最新の可撓性開発製品としても理解される。また、これらは「可撓性導体プレート（フレキシブル・プリント基板）」と称され、互いに対して並びに表面に対して絶縁されている様々な導体通路の構造、及び、電気接触のために表面に対して絶縁されていない接触面の様々な構造により特徴付けられている。本明細書において、材料接合式の結合とは、関与部材の材料的なかみ合いにより成される結合のことで、この結合を解除するにはその継目を破壊するしかないものであり、例えば、ロウ付け、接着、溶接などである。また、材料結束式の結合とは、関与部材が外力（例えば摩擦力）により結合されるもので、例えば、押圧による結合、ねじ込みによる結合などである。
【００１２】
高い信頼性と長い耐用年数を提供すると同時に低コストでパワー半導体モジュールを製造するには、特に費用と時間のかかる生産ステップが、より簡単でより速いものとして実現されるべき解決策によって置き換えられる必要がある。半導体素子をパワー半導体モジュールに備え付けること、及び、それに引き続くボンド結合を用いる回路に応じた配線は、特に消費時間を要求することになる。
【００１３】
回路に応じた配線における本発明の形態は、ボンド結合部の代わりに可撓性の導体プレートを少なくとも部分的に用いて行われる。ボンド結合が直列に製造されるのに対し、可撓性導体プレートを用いる結合は迅速に実施すべき唯一の作業工程だけを要求する。特にロウ付け結合による材料接合式の結合における上述した短所に基づき、その使用は出来るだけ僅かな使用領域に制限される。本発明では２つの同価値の選択解決策が提供される。
【００１４】
半導体素子がセラミック製の基板の接触面上に材料接合式で取り付けられる。この際、基板のこれらの接触面は、これらが個々の半導体素子間における回路に応じた接続を実現するように形成されている。材料接合式の結合は、例えば、ロウ付けにより、又は、部分的には可撓性接続部も可能とする最新の接着法により実施され得る。互いの半導体素子間および基板の他の接触面に対する、回路に応じた半導体素子の他の配線は、可撓性導体プレートを用いて実現される。この導体プレートはモジュールの圧力接触部により半導体素子の第１主面と材料結束式に結合される。この圧力接触部、即ち圧力によりコンタクトを形成させる部分は、従来技術により、圧力を蓄積する要素とシステム内に圧力を挿入する圧力プレートとから構成される。接触のために必要な圧力は、冷却体とパワー半導体モジュールを結合することによって初めて確立される。従って、冷却体に対するパワー半導体モジュールの熱的な接触と同時にパワー半導体モジュールにおける信頼性のある完全な電気接触が実現される。
【００１５】
本発明の第２のバリエーションとして、半導体素子を、材料接合式、有利には接着法を用いて可撓性導体プレートに固定することが提案される。基板上および可撓性導体プレートにおける回路に応じた接続は第１形態に対応して実現される。半導体素子が設けられている可撓性導体プレートを基板上に取り付けることにより、パワー半導体モジュールにおける回路に応じた完全な配線が確立される。配線の完全な機能性は、冷却体との熱伝導接続を含めた上述の圧力接触により初めて達成される。
【００１６】
両方の解決策の複合形は、特別な使用時において有利であり得る。
【００１７】
両方の解決策は、材料結束式の導電性接続の確立がパワー半導体モジュール内に既に冷却体上の熱接触のために設けられている圧力接触部によって同様に行われるという同一の有利な特性を有する。
【００１８】
更に可撓性導体プレートは、外部のパワー接続部及び／又は制御接続部の部分的な接触のために用いられる。この場合、同様に材料結束式及び／又は材料接合式の接続バリエーションが考えられる。材料結束式のバリエーションではパワー半導体モジュールの圧力接触部が、耐久性のある接続のため、即ち耐久性のある確実な接触のために同様に用いられる。
【００１９】
個々の素子を互いに絶縁する本発明の形態は軟質の絶縁材によって行われる。この絶縁材はペースト状または泡状の構成を有する。絶縁材は有利には素子の第１主面ならびに素子間の中間空間に塗布される。
【００２０】
それに引き続き、本発明のパワー半導体モジュールの他の製造プロセスにおいて可撓性導体プレートが取り付けられる。この導体プレートには、回路に応じた接続が保証されているように素子の第１主面側でイボ状突起が配設されている。加圧により、イボ状突起は、接触が要求されている箇所において絶縁材を押しのける。余分な絶縁材は、適切な穴を通じ、素子が備え付けられている基板と可撓性導体プレートとの間の領域から押し出される。従って、圧力接触部を用いることにより、一方では、素子ないしは基板の接触面と可撓性導体プレートとの間において確実な電気接触が確立され、他方では、素子が備え付けられている基板と可撓性導体プレートとの間の中間空間が絶縁材で完全に満たされていることが保証される。このことは個々の素子間の絶縁を確実なものとする。
【００２１】
【発明の実施の形態】
次に本発明の解決策の実施形態を図１及び図２を用いて説明する。この際、図２は図１の細部を示している。ケーシングの図は図面の見易さのために省略されている。
【００２２】
図面には、本発明の特徴を有する、冷却体１を備えた構造体内のパワー半導体モジュールの横断面が示されている。冷却体１は熱伝導性で有利にはセラミック製の基板２と結合されている。非図示の熱伝導ペーストと、基板２の第２主面の同様に非図示の平らな金属被覆とを用いたこの結合は、従来技術により、パワークラスの半導体モジュール内に発生する廃熱を運び去るために極めて適していると示されたものである。
【００２３】
冷却体１に対して電気絶縁するセラミック製の基板２は、その第１主面上に接触面３を有し、これらの接触面３は金属被覆として形成されている。基板２のこれらの接触面３上には半導体素子８が設けられている。接触面３は、接触面３上に配置すべき素子８の基板２側の第２主面が回路に応じて接続されるように形成されている。素子８としては、パワーダイオード、パワーサイリスタ、パワートランジスタ、更には、センサ、抵抗、集積回路なども用いられる。
【００２４】
本発明の解決策の第１形態において、半導体素子８は材料接合式で接触部３と結合されている。この材料接合式の結合は現今の従来技術により有利にはロウ付けにより確立される。ここでは全ての半導体素子８のロウ付けを１回の作業手順で可能とするロウ付け方法が使用される。半導体素子８においてセラミック製の基板２とは反対側の夫々の第１主面における回路に応じた接続は、本発明により、可撓性の導体プレート９を用いて達成される。この可撓性導体プレート９は材料接合式ではなく材料結束式で半導体素子８の第１主面と結合されている。耐久性と信頼性のある電気接触は全構造体を圧力接触させた後に初めて達成される。
【００２５】
この実施形態において半導体素子８と接触するための可撓性導体プレート９の接触面は有利にはイボ状の突起２１を有する。一方ではこれらのイボ状突起が確実な接触を保証し、それにより他方では全パワー半導体モジュールの効果的な圧力接触が確実に成され得る。
【００２６】
本発明の解決策で可能な他の形態では半導体素子８の第１主面が可撓性導体プレート９と材料接合式で結合される。この結合は有利には導電性接着剤で確立される。同様にロウ付け技術による結合も考えられる。可撓性導体プレート９と半導体素子８から成る結合体は製造プロセス中に基板２上に次のように取り付けられる。即ち、回路に応じた接触が確立されるように半導体素子８の第２主面が基板２の接触面３上に位置するようにである。基板２の接触面３との耐久性と信頼性のある電気接触は同様に全構造体における圧力接触後に初めて達成される。
【００２７】
パワー半導体モジュールにおいて必要不可欠であるパワー接続部および制御接続部の接触は同様に可撓性導体プレート９を用いて実現され得る。そのために、例えば、少なくとも１つの堅固な導体プレート５または可撓性でもある導体プレート５上で外部に導かれている接続部が、導体プレート５上に設けられている接触部６を使い、可撓性導体プレート９を用いて直接的にパワー半導体モジュールの対応する接続部と材料結束式でパワー半導体モジュール内に設けられている圧力接触部を用いて接続される。基板２と同じ厚さを必ずしも有する必要のない外部の導体プレート５は少なくとも部分的にその第２主面を用いて電気絶縁した状態で冷却体１上に配置されている。可撓性導体プレート９は、導体プレート５における外部のパワー接続部および制御接続部と接触する目的で次のように導体プレート５を覆っている。即ち、可撓性導体プレート９の対応する接触面と外部の導体プレート５の接触面６との間の電気接触が少なくとも部分的に得られるようにである。
【００２８】
材料結束式の全ての接触部は、圧力を導入する堅固な圧力プレート１１と可撓性で弾性の圧力蓄積体１０とを用いて加圧を行った後に初めて耐久性と信頼性をもって閉鎖される。圧力導入のためには例えばねじ込み式接続方式が用いられる。このねじ込み式接続方式のために、圧力プレート１１、必要に応じて圧力蓄積体１０、基板２、及び／又は、外部の導体プレート５には、貫通部１３、１４、１５、７が設けられ得る。従って組立時には、冷却体１上で、冷却体１に対して熱伝導し且つ電気絶縁するパワー半導体モジュールの接触と、全ての材料結束式の導電接触とが同時に確立される。
【００２９】
更に、可撓性導体プレート９、半導体素子８、及び／又は、基板２の接触面３を伴う他のパワー接続部及び／又は制御接続部を可能とするために貫通部１２が設けられ得る。
【００３０】
基板２と可撓性導体プレート９の間の中空空間４は、従来技術に従い、電気的な閃絡を防止するために、電気絶縁体、例えばシリコンゴムで満たされ得る。
【００３１】
個々の素子を互い絶縁する本発明の形態はペースト状の絶縁材２０を使用し、この絶縁材２０は、基板２の接触面３と半導体素子８を結合させた後にこの結合体上に平たく塗布される。このペースト状の絶縁材上に配置されている導体プレート９は、圧力プレート１１並びに圧力蓄積体１０から成る圧力接触部を用いて基板２の方向に押圧される。この際、半導体素子８の接触面ないしは基板２の接触面３と可撓性導体プレート９を電気接触させるためのイボ状突起２１は、この領域にある絶縁材を押しのける。従って、長期に渡り安定性のある電気接触が保証される。更に、半導体素子８が備え付けられている基板２と可撓性導体プレート９の間における残りの全ての中空空間は、圧力接触により、完全に又は必要であれば部分的に絶縁材で満たされる。余分な絶縁材は適切な穴を通じて又はパワー半導体モジュールの縁で排除される。
【図面の簡単な説明】
【図１】本発明による解決策の実施形態を示す図である。
【図２】図１の細部を示す図である。
【符号の説明】
１    冷却体１
２    基板（セラミック製）
３    基板の接触面
４    中空空間
５    外部の導体プレート
６    外部の導体プレートの接触部
７    貫通部
８    半導体素子
９    可撓性導体プレート
１０    圧力蓄積体
１１    圧力プレート
１２    貫通部
１３    貫通部
１４    貫通部
１５    貫通部
２０    絶縁材
２１    イボ状突起
２２    導体通路
【図１】
0004194293.tif 000002
【図２】
0004194293.tif 000003